(57)【要約】【課題】清掃性能に優れた束子、及び、そのような束子の製造方法を提供すること。【解決手段】本発明の束子は、少なくとも一方の側方領域（１２、１３）の上部及び下部の繊維が刈り込まれて、断面が鋭角のエッジ部が形成されている。【選択図】図１
2014076212.tif 000002
【特許請求の範囲】
【請求項１】
少なくとも一方の側方領域の上部及び下部の繊維が刈り込まれて、断面が鋭角のエッジ部が形成されている
ことを特徴とする束子。
【請求項２】
少なくとも一方の側方領域の上部及び下部の繊維が互いに鋭角をなす２つの平面のそれぞれに倣うように刈り込まれて、断面が鋭角のエッジ部が形成されている
ことを特徴とする束子。
【請求項３】
一方の側方領域の上部及び下部の繊維が刈り込まれて、断面が鋭角のエッジ部が形成されていると共に、
他方の側方領域の上部及び下部の繊維も刈り込まれて、断面が鋭角のエッジ部が形成されている
ことを特徴とする束子。
【請求項４】
一方の側方領域の上部及び下部の繊維が互いに鋭角をなす２つの平面のそれぞれに倣うように刈り込まれて、断面が鋭角のエッジ部が形成されていると共に、
他方の側方領域の上部及び下部の繊維も互いに鋭角をなす２つの平面のそれぞれに倣うように刈り込まれて、断面が鋭角のエッジ部が形成されている
ことを特徴とする束子。
【請求項５】
少なくとも前方領域の上部及び下部の繊維が刈り込まれて、断面が鋭角のエッジ部が形成されている
ことを特徴とする束子。
【請求項６】
両方の側方領域と前方領域との上部及び下部の繊維が刈り込まれて、両方の側方領域と前方領域とにおいて断面が鋭角のエッジ部が形成されている
ことを特徴とする束子。
【請求項７】
後方領域に柄が取り付けられている
ことを特徴とする請求項１乃至６のいずれかに記載の束子。
【請求項８】
繊維は、パーム繊維である
ことを特徴とする請求項１乃至７のいずれかに記載の束子。
【請求項９】
請求項１乃至８のいずれかに記載の束子を製造する方法であって、
刈込処理前の束子を把持ツールを介して把持する工程と、
把持ツールを介して把持した刈込処理前の束子を刈込機に押し当てて刈り込む工程と、
を備えたことを特徴とする束子の製造方法。
【発明の詳細な説明】
【技術分野】
【０００１】
本発明は、主として対象物を擦ることによって清掃するために用いられる束子、及び、その製造方法に関する。
【背景技術】
【０００２】
束子は、古くから、対象物を擦ることによって清掃するために用いられている。従来の束子を図１１乃至図１３に示す。図１１は、従来の柄付き束子の概略斜視図であり、図１２は、図１１の柄付き束子の概略正面図であり、図１３は、図１１の柄付き束子の概略側面図である。図１１乃至図１３に示すように、従来の柄付き束子５０は、芯材の周囲に略等しい長さのパーム繊維が放射状に突出するように固着されていて、当該芯材が略Ｕ字状に折り返されている。そして、後方領域に柄６０が取り付けられている。
【０００３】
清掃の対象物の形状によっては、束子の外周面に鋭角のエッジ部が設けられていることが好ましい場合がある。そのような束子として、特許文献１に、先端を左右方向に細くした束子が開示されている。当該文献には、従来の束子の先端の左右の繊維を斜めに切り落とすことで、先端を左右方向に細くできると記載されている（特許文献１の請求項２）。
【０００４】
同様に、特許文献２においても、束子の外側の角がより鋭くなるように、束子の外側の角の付近の繊維を斜めに切り落とすことが提案されている。
【先行技術文献】
【特許文献】
【０００５】
【特許文献１】実開平６−  ５８８５５
【特許文献２】特開平６−２８５００３
【非特許文献１】「目で見てわかる機械現場のべからず集研削盤作業編」、日刊工業新聞社、、２００８年、Ｐ１９
【発明の概要】
【発明が解決しようとする課題】
【０００６】
しかしながら、束子の繊維がパーム繊維のように固い素材からなる場合、束子の先端の繊維を斜めに切り落とすという作業は、極めて難しい。従って、結果的に、鋭角のエッジ部を有する束子は、現在まで市場に登場することがなかった。
【０００７】
本件発明者は、パーム繊維のように固い素材からなる束子に鋭角のエッジ部を設けるための加工方法について鋭意研究を重ねた。そして、束子の繊維を切り落とすのではなく、刈込機（ロータリーカッター）によって繊維を刈り込んでいくことで、束子に所望のエッジ部を設けることができることを知見した。
【０００８】
通常の束子の大きさは比較的小さいため、素手で刈込機による刈込作業を行うことは非常に危険である。一方で、刈込機を用いて刈込作業を行う際、軍手等の手袋を装着することも同様に危険である。手袋が刈込機に巻き込まれる可能性があるからである。このことは、例えば非特許文献１の第１９頁にも記載されている。これはグラインダ（研削盤）についての記載であるが、刈込機についての技術常識でもあった。
【０００９】
本件発明者は、鋭意の検討の後、大型クリップのような把持ツールを介して束子を刈込機に押しつけることで、作業の危険を大幅に回避できることを知見した。このような発想は、非特許文献１等に記載されている「研削盤作業では、手に伝わる感覚を覚えることが重要です。軍手をはめていては微妙な感覚を覚えることはできません」という技術常識を覆すものであり、本件発明者による画期的なものである。
【００１０】
本発明は、以上の知見に基づいて創案されたものである。本発明の目的は、清掃性能に優れた束子、及び、そのような束子の製造方法を提供することである。
【課題を解決するための手段】
【００１１】
本発明は、刈込処理前の束子を把持ツールを介して把持する工程と、把持ツールを介して把持した刈込処理前の束子を刈込機に押し当てて刈り込む工程と、を備えたことを特徴とする束子の製造方法である。このような本件発明者による画期的な束子の製造方法によって、以下の束子を実現することができた。
【００１２】
すなわち、本発明は、少なくとも一方の側方領域の上部及び下部の繊維が刈り込まれて、断面が鋭角のエッジ部が形成されていることを特徴とする束子である。少なくとも一方の側方領域に断面が鋭角のエッジ部が形成されていることにより、本発明による束子は清掃性能に優れる。
【００１３】
特に、少なくとも一方の側方領域の上部及び下部の繊維が互いに鋭角をなす２つの平面のそれぞれに倣うように刈り込まれている場合、断面が鋭角のエッジ部が当該平面に相当する広がりを有することができ、より一層清掃性能に優れる。
【００１４】
もちろん、両方の側方領域の上部及び下部の繊維が刈り込まれて、それぞれの側方領域に断面が鋭角のエッジ部が形成されていてもよい。
【００１５】
あるいは、本発明は、少なくとも前方領域の上部及び下部の繊維が刈り込まれて、断面が鋭角のエッジ部が形成されていることを特徴とする束子である。少なくとも前方領域に断面が鋭角のエッジ部が形成されていることにより、本発明による束子は清掃性能に優れる。
【００１６】
特に、少なくとも前方領域の上部及び下部の繊維が互いに対向する２つの切頭円錐面のそれぞれの略半部に倣うように刈り込まれている場合、断面が鋭角のエッジ部が当該切頭円錐面に相当する広がりを有することができ、より一層清掃性能に優れる。
【００１７】
以上の特徴のいずれかを備えた本発明の束子は、後方領域に柄が取り付けられている場合、操作性に優れて好ましい。刈込処理前に柄を取り付ければ、当該柄を把持ツールによって把持することが可能であるから、より安全に刈込処理を行うことができる。
【００１８】
また、本発明の束子は、繊維がパーム繊維のように固い素材からなる場合であっても、問題なく製造（刈込加工）することができる。
【発明の効果】
【００１９】
本発明によれば、少なくとも一方の側方領域に断面が鋭角のエッジ部が形成されていることにより、清掃性能に優れる。
【００２０】
あるいは、本発明によれば、少なくとも前方領域に断面が鋭角のエッジ部が形成されていることにより、清掃性能に優れる。
【図面の簡単な説明】
【００２１】
【図１】本発明の第１の実施の形態の柄付き束子の概略斜視図である。
【図２】図１の柄付き束子の概略平面図である。
【図３】図１の柄付き束子の概略正面図である。
【図４】図１の柄付き束子の概略側面図である。
【図５】本発明の第２の実施の形態の柄付き束子の概略斜視図である。
【図６】図５の柄付き束子の概略正面図である。
【図７】図５の柄付き束子の概略側面図である。
【図８】本発明の第３の実施の形態の柄付き束子の概略斜視図である。
【図９】図８の柄付き束子の概略正面図である。
【図１０】図８の柄付き束子の概略側面図である。
【図１１】従来の柄付き束子の概略斜視図である。
【図１２】図１１の柄付き束子の概略正面図である。
【図１３】図１１の柄付き束子の概略側面図である。
【発明を実施するための形態】
【００２２】
以下に、添付の図面を参照して、本発明の実施の形態を詳細に説明する。
【００２３】
図１は、本発明の第１の実施の形態の柄付き束子の概略斜視図であり、図２は、図１の柄付き束子の概略平面図であり、図３は、図１の柄付き束子の概略正面図であり、図４は、図１の柄付き束子の概略側面図である。
【００２４】
本実施の形態の束子１０は、繊維としてパーム繊維が用いられており、図１１乃至図１３に示した従来の柄付き束子５０を部分的に刈り込むことによって製造される。具体的には、刈込処理前の柄付き束子５０を把持ツールを介して把持し、把持ツールを介して把持した刈込処理前の柄付き束子５０を刈込機（ロータリーカッター）に押し当てることによって刈込がなされる。把持ツールとしては、大型クリップ等を利用することができる。
【００２５】
把持ツールを介して柄付き束子５０を把持する際、柄６０の部分を介して柄付き束子５０を把持すれば、より安全に刈込加工を行うことができる。もっとも、本発明の束子は、柄付き束子に限定されない。
【００２６】
具体的には、本実施の形態の柄付き束子１０においては、刈込処理前の柄付き束子５０の両方の側方領域１２、１３（図２参照）の上部及び下部の繊維が、互いに鋭角をなす２つの平面のそれぞれに倣うように刈り込まれて、断面が鋭角のエッジ部が形成されている（図３参照）。刈込後の刈込面を平面に倣わせるためには、刈込機に対して刈込面を素直に押し当て続ければよい。
【００２７】
このように側方領域１２、１３に形成された断面が鋭角のエッジ部により、本実施の形態の柄付き束子１０は清掃性能に優れる。側方領域１２、１３に形成されたエッジ部の角度は、図３に示すように、９０°程度であることが好ましいが、これに限定されず、３０°〜１２０°程度の間で適宜に選択され得る。
【００２８】
特に、側方領域１２、１３の上部及び下部の繊維が互いに鋭角をなす２つの平面のそれぞれに倣うように刈り込まれていることにより、側方領域１２、１３における断面が鋭角のエッジ部が当該平面に相当する広がり（直線長さ）を有しているため、より一層清掃性能に優れる。
【００２９】
さらに、本実施の形態の柄付き束子１０においては、刈込処理前の柄付き束子５０の前方領域１１（図２参照）の上部及び下部の繊維が、互いに対向する２つの切頭円錐面のそれぞれの略半部に倣うように（そろばんの珠の略半部のような形状に）刈り込まれて、断面が鋭角のエッジ部が形成されている（図４参照）。刈込後の刈込面を切頭円錐面に倣わせるためには、刈込機に対して刈込面を適宜に回しながら押し当てる必要がある。ここで、「切頭円錐面」というのは、大まかな目安であって、刈込処理が手作業でなされることもあり、幾何学的に正確な切頭円錐面のみを意味するものではない。
【００３０】
このように前方領域１１に形成された断面が鋭角のエッジ部によっても、本実施の形態の束子１０は清掃性能に優れる。前方領域１１に形成されたエッジ部の角度も、図４に示すように、９０°程度であることが好ましいが、これに限定されず、３０°〜１２０°程度の間で適宜に選択され得る。
【００３１】
特に、前方領域１１の上部及び下部の繊維が互いに対向する２つの切頭円錐面のそれぞれの略半部に倣うように（そろばんの珠の略半部のような形状に）刈り込まれていることにより、前方領域１１における断面が鋭角のエッジ部が当該平面に相当する広がり（円弧長さ）を有しているため、より一層清掃性能に優れる。
【００３２】
次に、図５は、本発明の第２の実施の形態の柄付き束子の概略斜視図であり、図６は、図５の柄付き束子の概略正面図であり、図７は、図５の柄付き束子の概略側面図である。
【００３３】
本実施の形態の柄付き束子１０’も、図１１乃至図１３に示した従来の柄付き束子５０を部分的に刈り込むことによって製造される。具体的には、刈込処理前の柄付き束子５０を把持ツールを介して把持し、把持ツールを介して把持した刈込処理前の柄付き束子５０を刈込機に押し当てることによって刈込がなされる。把持ツールとしては、大型クリップ等を利用することができる。把持ツールを介して柄付き束子５０を把持する際、柄６０の部分を介して柄付き束子５０を把持すれば、より安全に刈込加工を行うことができる。
【００３４】
具体的には、本実施の形態の柄付き束子１０’においては、刈込処理前の柄付き束子５０の両方の側方領域１２、１３（図２参照）の上部及び下部の繊維が、互いに鋭角をなす２つの平面のそれぞれに倣うように刈り込まれて、断面が鋭角のエッジ部が形成されている（図６参照）。刈込後の刈込面を平面に倣わせるためには、刈込機に対して刈込面を素直に押し当て続ければよい。
【００３５】
このように側方領域１２、１３に形成された断面が鋭角のエッジ部により、本実施の形態の柄付き束子１０は清掃性能に優れる。側方領域１２、１３に形成されたエッジ部の角度は、図６に示すように、９０°程度であることが好ましいが、これに限定されず、３０°〜１２０°程度の間で適宜に選択され得る。
【００３６】
特に、側方領域１２、１３の上部及び下部の繊維が互いに鋭角をなす２つの平面のそれぞれの略半部に倣うように（そろばんの珠の略半部のような形状に）刈り込まれてことにより、側方領域１２、１３における断面が鋭角のエッジ部が当該平面に相当する広がり（直線長さ）を有しているため、より一層清掃性能に優れる。
【００３７】
そして、本実施の形態の柄付き束子１０’においては、刈込処理前の柄付き束子５０の前方領域１１（図２参照）については、刈り込まれないで丸みを帯びた形状が維持される（図７参照）。
【００３８】
このような本実施の形態によれば、丸みを帯びた形状が維持された前方領域１１と、断面が鋭角のエッジ部とされた側方領域１２、１３とを、状況に応じて使い分けることができるため、清掃性能に優れる。
【００３９】
次に、図８は、本発明の第３の実施の形態の柄付き束子の概略斜視図であり、図９は、図８の柄付き束子の概略正面図であり、図１０は、図８の柄付き束子の概略側面図である。
【００４０】
本実施の形態の柄付き束子１０”も、図１１乃至図１３に示した従来の柄付き束子５０を部分的に刈り込むことによって製造される。具体的には、刈込処理前の柄付き束子５０を把持ツールを介して把持し、把持ツールを介して把持した刈込処理前の柄付き束子５０を刈込機に押し当てることによって刈込がなされる。把持ツールとしては、大型クリップ等を利用することができる。把持ツールを介して柄付き束子５０を把持する際、柄６０の部分を介して柄付き束子５０を把持すれば、より安全に刈込加工を行うことができる。
【００４１】
具体的には、本実施の形態の柄付き束子１０”においては、刈込処理前の柄付き束子５０の前方領域１１（図２参照）の上部及び下部の繊維が、互いに対向する２つの切頭円錐面のそれぞれの略半部に倣うように（そろばんの珠の略半部のような形状に）刈り込まれて、断面が鋭角のエッジ部が形成されている（図１０参照）。刈込後の刈込面を切頭円錐面に倣わせるためには、刈込機に対して刈込面を適宜に回しながら押し当てる必要がある。ここで、「切頭円錐面」というのは、大まかな目安であって、刈込処理が手作業でなされることもあり、幾何学的に正確な切頭円錐面のみを意味するものではない。
【００４２】
このように前方領域１１に形成された断面が鋭角のエッジ部によって、本実施の形態の柄付き束子１０”は清掃性能に優れる。前方領域１１に形成されたエッジ部の角度は、図１０に示すように、９０°程度であることが好ましいが、これに限定されず、３０°〜１２０°程度の間で適宜に選択され得る。
【００４３】
特に、前方領域１１の上部及び下部の繊維が互いに対向する２つの切頭円錐面のそれぞれの略半部に倣うように（そろばんの珠の略半部のような形状に）刈り込まれていることにより、前方領域１１における断面が鋭角のエッジ部が当該平面に相当する広がり（円弧長さ）を有しているため、より一層清掃性能に優れる。
【００４４】
そして、本実施の形態の柄付き束子１０”においては、刈込処理前の柄付き束子５０の側方領域１２、１３（図２参照）については、刈り込まれないで丸みを帯びた形状が維持される（図９参照）。
【００４５】
このような本実施の形態によれば、断面が鋭角のエッジ部とされた前方領域１１と、丸みを帯びた形状が維持された側方領域１２、１３とを、状況に応じて使い分けることができるため、清掃性能に優れる。
【符号の説明】
【００４６】
１０、１０’、１０”  柄付き束子
１１  前方領域
１２  側方領域
１３  側方領域
１４  後方領域
５０  従来の柄付き束子（刈込処理前の柄付き束子）
６０  柄
【図１】
2014076212.tif 000003
【図２】
2014076212.tif 000004
【図３】
2014076212.tif 000005
【図４】
2014076212.tif 000006
【図５】
2014076212.tif 000007
【図６】
2014076212.tif 000008
【図７】
2014076212.tif 000009
【図８】
2014076212.tif 000010
【図９】
2014076212.tif 000011
【図１０】
2014076212.tif 000012
【図１１】
2014076212.tif 000013
【図１２】
2014076212.tif 000014
【図１３】
2014076212.tif 000015